(57)【要約】【課題】ＲＢマッピング方法の切り換えを、遅延スプレッドの変化に高い精度で追従させることができ、高い通信品質を実現すること。【解決手段】移動局は基地局から下り信号を受信する下り信号受信手段と、受信した下り信号から下りリファレンス信号を抽出する第１抽出手段と、抽出した下りリファレンス信号から下り信号の遅延スプレッドに生じた変化を算出する算出手段と、算出した変化が予め定められた閾値以上であるか否か表わす遅延スプレッド情報を生成する遅延スプレッド情報生成手段と、遅延スプレッド情報を上り信号として基地局に送信する上り信号送信手段とを有する。基地局は、上り信号を受信する上り信号受信手段と、上り信号から遅延スプレッド情報を抽出する第２抽出手段と、抽出した遅延スプレッド情報に基づき移動局に送信するリソースブロックのマッピング方法を決定するリソースブロックマッピング方法決定手段とを有することを特徴とする。【選択図】  図１
2013012837.tif 000002
【特許請求の範囲】
【請求項１】
移動局と基地局とを含む通信システムであって、
前記移動局は、
前記基地局から下り信号を受信する下り信号受信手段と、
受信した前記下り信号から下りリファレンス信号を抽出する第１抽出手段と、
抽出した前記下りリファレンス信号から前記下り信号の遅延スプレッドに生じた変化を算出する算出手段と、
算出した前記変化が、あらかじめ定められた閾値以上であるか否かを表わす遅延スプレッド情報を生成する遅延スプレッド情報生成手段と、
前記遅延スプレッド情報を上り信号として前記基地局に送信する上り信号送信手段と、
を有し、
前記基地局は、
前記上り信号を受信する上り信号受信手段と、
前記上り信号から前記遅延スプレッド情報を抽出する第２抽出手段と、
抽出した前記遅延スプレッド情報に基づいて、前記移動局に送信するリソースブロックのマッピング方法を決定するリソースブロックマッピング方法決定手段と、
を有することを特徴とする通信システム。
【請求項２】
前記リソースブロックマッピング方法決定手段は、前記下り信号の遅延スプレッドに生じた変化が、あらかじめ定められた値以上の場合に、前記移動局に送信する前記リソースブロックをディストリビューティッドリソースブロック（ＤＲＢ：ｄｉｓｔｒｉｂｕｔｅｄ  ｒｅｓｏｕｒｃｅ  ｂｌｏｃｋ）マッピングに決定し、前記下り信号の遅延スプレッドに生じた変化があらかじめ定められた値以下である場合に、前記リソースブロックをローカライズドリソースブロック（ＬＲＢ：ｌｏｃａｌｉｚｅｄ  ｒｅｓｏｕｒｃｅ  ｂｌｏｃｋ）マッピングに決定することを特徴とする請求項１に記載の通信システム。
【請求項３】
前記移動局は、さらに、前記遅延スプレッド情報を前記上り信号として前記基地局に送信するために符号化して変調する符号化変調手段を有し、
前記基地局は、さらに、前記上り信号として送信された前記遅延スプレッド情報を復調して復号する復調復号手段を有することを特徴とする請求項１または２のいずれか１項に記載の通信システム。
【請求項４】
前記符号化変調手段は、さらに、前記遅延スプレッド情報を誤り訂正符号化して変調することを特徴とする請求項３に記載の通信システム。
【請求項５】
前記復調復号手段は、さらに、前記遅延スプレッド情報を誤り訂正復号することを特徴とする請求項３に記載の通信システム。
【請求項６】
前記算出手段は、前記下り信号の遅延スプレッドがあらかじめ定められた第１閾値以上であって、前記下り信号の遅延スプレッドを高速フーリエ変換（ＦＦＴ：ｆａｓｔ  ｆｏｕｒｉｅｒ  ｔｒａｎｓｆｏｒｍ）により計算した値があらかじめ定められた第２閾値以上である場合に、前記変化を算出することを特徴とする請求項１乃至５のいずれか１項に記載の通信システム。
【請求項７】
通信システムにおける通信方法であって、
移動局は、
基地局から下り信号を受信する下り信号受信ステップと、
受信した前記下り信号から下りデータチャネル信号を抽出する第１抽出ステップと、
抽出した前記下りデータチャネル信号から前記下り信号の遅延スプレッドに生じた変化を算出する算出ステップと、
算出した前記変化が、あらかじめ定められた閾値以上であるか否かを表わす遅延スプレッド情報を生成する遅延スプレッド情報生成ステップと、
前記遅延スプレッド情報を上り信号として前記基地局に送信する上り信号送信ステップと、
を備え、
前記基地局は、
前記上り信号を受信する上り信号受信ステップと、
前記上り信号から前記遅延スプレッド情報を抽出する第２抽出ステップと、
抽出した前記遅延スプレッド情報に基づいて、前記移動局に送信するリソースブロックのマッピング方法を決定するリソースブロックマッピング方法決定ステップと、
を備えることを特徴とする通信方法。
【請求項８】
基地局から下り信号を受信する下り信号受信手段と、
受信した前記下り信号から下りリファレンス信号を抽出する第１抽出手段と、
抽出した前記下りリファレンス信号から前記下り信号の遅延スプレッドに生じた変化を算出する算出手段と、
算出した前記変化が、あらかじめ定められた閾値以上であるか否かを表わす遅延スプレッド情報を生成する遅延スプレッド情報生成手段と、
前記遅延スプレッド情報を上り信号として前記基地局に送信する上り信号送信手段と、
を有することを特徴とする移動局。
【請求項９】
移動局から上り信号を受信する上り信号受信手段と、
前記上り信号から、下り信号の遅延スプレッドに生じた変化に基づいて前記移動局で生成された遅延スプレッド情報を抽出する第２抽出手段と、
前記抽出した前記遅延スプレッド情報に基づいて、前記移動局に送信するリソースブロックのマッピング方法を決定するリソースブロックマッピング方法決定手段と、
を有することを特徴とする基地局。
【発明の詳細な説明】
【技術分野】
【０００１】
本発明は、無線通信技術に関する。
【背景技術】
【０００２】
上記技術分野において、特許文献１に示されているように、伝送周波数帯域を複数の周波数ブロック（ＲＢ：Ｒｅｓｏｕｒｃｅ  Ｂｌｏｃｋ）に分割し、ＲＢごとに各移動局への無線リソースを割り当てる技術が知られている。また、特許文献２に示されているように通信品質の評価を行なわずに、無線通信システムの選択を行なう技術が開示されている。
【先行技術文献】
【特許文献】
【０００３】
【特許文献１】特開2008-166880号公報
【０００４】
【特許文献２】特開平11-243587号公報
【発明の概要】
【発明が解決しようとする課題】
【０００５】
従来の通信システムでは、下りリンクのＣＱＩ（ｃｈａｎｎｅｌ  ｑｕａｌｉｔｙ  ｉｎｄｉｃａｔｏｒ）に基づいた高品質な周波数帯域をユーザに割り当てるためにスケジューリングを行う。その際、使用するリソースブロック（ＲＢ：ｒｅｓｏｕｒｃｅ  ｂｌｏｃｋ）を連続した帯域とするローカライズドリソースブロック（ＬＲＢ：ｌｏｃａｌｉｚｅｄ  ｒｅｓｏｕｒｃｅ  ｂｌｏｃｋ）マッピングを行っている。
【０００６】
一方、占有ＲＢを分散させるディストリビューティッドリソースブロック（ＤＲＢ：ｄｉｓｔｒｉｂｕｔｅｄ  ｒｅｓｏｕｒｃｅ  ｂｌｏｃｋ）マッピングを用いる場合もある。ＤＲＢマッピングは、スケジューリング動作を行わないが、周波数・時間ダイバーシチ効果によって、ＬＲＢマッピングに比べて伝送路変動の影響を受け難く、特性が安定するマッピング方法である。
【０００７】
各マッピング方法における品質は、通信路における遅延スプレッドの影響を受ける。遅延スプレッドが大きくなると、ＬＲＢマッピングでのスケジューリングによる特性改善の効果は小さくなる。その理由は、遅延スプレッドが大きくなると、周波数方向に関して信号の電力密度の変化がより細かく生じるようになり、品質のよいＲＢが連続する確率が小さくなるためである。
【０００８】
遅延スプレッドは、移動局の移動状態など周辺環境により変動する。遅延スプレッドが拡大した場合には、マッピング方法を素早くＤＲＢマッピングに切り換え、伝送路の周波数方向の変動の影響を受け難くすることが望ましい。しかしながら、遅延スプレッドが変化しても、基地局において変化が判明するまでには比較的長時間を要する。その理由は、基地局は、遅延スプレッドを知るために、下りリンクの各ＲＢに対する下りＣＱＩを上りリンクで受信後、各ＲＢ間の値の分散を集計する必要があるが、その集計に長時間を要するためである。
【０００９】
その結果、ＲＢマッピング方法の切り換えを遅延スプレッドの変化に迅速に追従させることができず、通信品質の低下を招いていた。
【００１０】
本発明の目的は、上述の課題を解決する技術を提供することにある。
【課題を解決するための手段】
【００１１】
上記目的を達成するため、本発明に係るシステムは、
移動局と基地局とを含む通信システムであって、
前記移動局は、
前記基地局から下り信号を受信する下り信号受信手段と、
受信した前記下り信号から下りリファレンス信号を抽出する第１抽出手段と、
抽出した前記下りリファレンス信号から前記下り信号の遅延スプレッドに生じた変化を算出する算出手段と、
算出した前記変化が、あらかじめ定められた閾値以上であるか否かを表わす遅延スプレッド情報を生成する遅延スプレッド情報生成手段と、
前記遅延スプレッド情報を上り信号として前記基地局に送信する上り信号送信手段と、
を有し、
前記基地局は、
前記上り信号を受信する上り信号受信手段と、
前記上り信号から前記遅延スプレッド情報を抽出する第２抽出手段と、
抽出した前記遅延スプレッド情報に基づいて、前記移動局に送信するリソースブロックのマッピング方法を決定するリソースブロックマッピング方法決定手段と、
を有することを特徴とする。
【００１２】
上記目的を達成するため、本発明に係る方法は、
通信システムにおける通信方法であって、
移動局は、
基地局から下り信号を受信する下り信号受信ステップと、
受信した前記下り信号から下りデータチャネル信号を抽出する第１抽出ステップと、
抽出した前記下りデータチャネル信号から前記下り信号の遅延スプレッドに生じた変化を算出する算出ステップと、
算出した前記変化が、あらかじめ定められた閾値以上であるか否かを表わす遅延スプレッド情報を生成する遅延スプレッド情報生成ステップと、
前記遅延スプレッド情報を上り信号として前記基地局に送信する上り信号送信ステップと、
を備え、
前記基地局は、
前記上り信号を受信する上り信号受信ステップと、
前記上り信号から前記遅延スプレッド情報を抽出する第２抽出ステップと、
抽出した前記遅延スプレッド情報に基づいて、前記移動局に送信するリソースブロックのマッピング方法を決定するリソースブロックマッピング方法決定ステップと、
を備えることを特徴とする。
【００１３】
基地局から下り信号を受信する下り信号受信手段と、
受信した前記下り信号から下りリファレンス信号を抽出する第１抽出手段と、
抽出した前記下りリファレンス信号から前記下り信号の遅延スプレッドに生じた変化を算出する算出手段と、
算出した前記変化が、あらかじめ定められた閾値以上であるか否かを表わす遅延スプレッド情報を生成する遅延スプレッド情報生成手段と、
前記遅延スプレッド情報を上り信号として前記基地局に送信する上り信号送信手段と、
を有することを特徴とする。
【００１４】
移動局から上り信号を受信する上り信号受信手段と、
前記上り信号から、下り信号の遅延スプレッドに生じた変化に基づいて前記移動局で生成された遅延スプレッド情報を抽出する第２抽出手段と、
前記抽出した前記遅延スプレッド情報に基づいて、前記移動局に送信するリソースブロックのマッピング方法を決定するリソースブロックマッピング方法決定手段と、
を有することを特徴とする。
【発明の効果】
【００１５】
本発明によれば、ＲＢマッピング方法の切り換えを、遅延スプレッドの変化に高い精度で追従させることができ、高い通信品質を実現できる。
【図面の簡単な説明】
【００１６】
【図１】本発明の第１実施形態に係る通信システムの構成を示すブロック図である。
【図２】本発明の第２実施形態に係る通信システムの構成を示すブロック図である。
【図３】本発明の第２実施形態に係る通信システムにおける移動局の構成を示すブロック図である。
【図４】本発明の第２実施形態に係る通信システムにおける基地局の構成を示すブロック図である。
【図５】本発明の第２実施形態に係る通信システムにおける算出部の構成を示すブロック図である。
【図６】本発明の第２実施形態に係る通信システムにおける遅延スプレッド情報生成部の処理の流れを示すフローチャートである。
【図７】本発明の第２実施形態に係る通信システムにおける遅延スプレッド情報生成部の遅延スプレッドの計算処理に用いられるグラフを示す図である。
【図８】本発明の第２実施形態に係る通信システムにおける移動局の処理の流れを示すフローチャートである。
【図９】本発明の第２実施形態に係る通信システムにおける基地局の処理の流れを示すフローチャートである。
【発明を実施するための形態】
【００１７】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１８】
［第１実施形態］
本発明の第１実施形態としての通信システム１００について、図１を用いて説明する。通信システム１００は、下り信号の遅延スプレッドに生じた変化に基づいてリソースブロックのマッピング方法を基地局において決定するものである。
【００１９】
図１に示すように、通信システム１００は、移動局１１０と、基地局１２０とを含み、無線通信を行なう。移動局１１０は、下り信号受信部１１１と、第１抽出部１１２と、算出部１１３と、遅延スプレッド情報生成部１１４と、上り信号送信部１１５とを有する。また、基地局１２０は、上り信号受信部１２１と、第２抽出部１２２、リソースブロックマッピング方法決定部１２３とを有する。
【００２０】
下り信号受信部１１１は、アンテナにおいて受信した基地局１２０からの下り信号１３１の入力を受け付ける。第１抽出部１１２は、下り信号１３１から下りリファレンス信号（ＲＳ：ｒｅｆｅｒｅｎｃｅ  ｓｉｇｎａｌ）を抽出する。算出部１１３は下りリファレンス信号から下り信号の遅延スプレッドに生じた変化を算出する。そして、遅延スプレッド情報生成部１１４は、算出された変化が、あらかじめ定められた閾値以上であるか否かを表わす遅延スプレッド情報を生成する。上り信号送信部１１５は、アンテナより遅延スプレッド情報を上り信号１３２として基地局１２０に送信する。
【００２１】
一方、基地局１２０の上り信号受信部１２１は、アンテナにおいて受信した移動局１１０からの上り信号１３２の入力を受け付ける。第２抽出部１２２は、上り信号から遅延スプレッド情報を抽出する。リソースブロックマッピング方法決定部１２３は、抽出された遅延スプレッド情報に基づいて移動局１１０に送信するリソースブロックマッピング方法を決定する。
【００２２】
以上の構成および動作により、本実施形態によれば、リソースブロックマッピング方法の切り換えを、遅延スプレッドの変化に高い精度で追従させることができ、高い通信品質を実現できる。
【００２３】
［第２実施形態］
次に本発明の第２実施形態に係る通信システムについて、図２を用いて説明する。図２は、本実施形態に係る通信システムの構成を説明するためのブロック図である。
【００２４】
図２に示すように、通信システム２００は、移動局２１０と、基地局２２０とを含み、無線通信を行なう。
（本システムの構成）
移動局２１０は、無線部２１１と、第１抽出部２１２と、算出部２１３と、遅延スプレッド情報生成部２１４と、符号化変調部２１５とを有する。また、基地局２２０は、上り信号受信部２２１と、第２抽出部２２２と、復調復号部２２３と、リソースブロックマッピング方法決定部２２４と、下り信号送信部２２５とを有する。
【００２５】
無線部２１１は、アンテナから下り信号２３１を入力される。第１抽出部２１２は、下り信号２３１から下りリファレンス信号(ＲＳ)を抽出する。算出部２１３は、抽出された下りリファレンス信号（ＲＳ）から、下り信号２３１の遅延スプレッドを計算する。そして、遅延スプレッド情報生成部２１４は、算出された変化が、あらかじめ定められた閾値以上であるか否かを表わす遅延スプレッド情報を生成する（２１４ａ）。ここで、本実施例においては、遅延スプレッド情報は、あらかじめ定められた閾値以上である場合に"１"とし、あらかじめ定められた閾値以下である場合に"０"とする。なお、遅延スプレッド情報はこれらの値に限られない。
【００２６】
符号化変調部２１５は、遅延スプレッド情報に対して上りリンク伝送路のための誤り訂正符号化と、変調を行なう。この符号化と変調の方式は、処理の所要時間が小さく済むものが望ましく、たとえば、３ＧＰＰ ＬＴＥ（Ｔｈｉｒｄ  Ｇｅｒａｔｉｏｎ  Ｐａｒｔｎｅｒｓｈｉｐ  Ｐｒｏｇｅｃｔ  Ｌｏｎｇ  Ｔｅｒｍ  Ｅｖｏｌｕｔｉｏｎ）に規定されているＨＡＲＱ−ＡＣＫ（Ｈｙｂｒｉｄ  Ａｕｔｏｍａｔｉｃ  Ｒｅｐｅａｔ  ｒｅＱｕｅｓｔ  ＡＣＫｎｏｗｌｅｄｇｅｍｅｎｔ）チャネルと同様の方法としてもよい。
【００２７】
無線部２１１は、符号化と変調を行なわれた遅延スプレッド情報およびその他の音声や画像などの情報を上り信号２３２として基地局２２０に送信する。
【００２８】
基地局２２０の上り信号受信部２２１は、移動局２１０から送信された上り信号２３２をアンテナから入力される。第２抽出部２２２は、上り信号２３２から、遅延スプレッド情報を抽出する。復調復号部２２３は、符号化変調部２１５において符号化と変調を行なわれた遅延スプレッド情報およびその他の音声や画像などの情報を復調して復号する。また、復調復号部２２３は、誤り訂正符号化されて変調された遅延スプレッド情報を復調して復号する。
【００２９】
リソースブロックマッピング方法決定部２２４は、復調して復号された遅延スプレッド情報に基づいて移動局２１０に送信する下り信号２３１のリソースブロックマッピング方法を決定する。リソースブロックマッピング方法決定部２２４は、遅延スプレッド情報が"１"である場合には、リソースブロックマッピング方法をディストリビューティッドリソースブロック（ＤＲＢ：ｄｉｓｔｒｉｂｕｔｅｄ  ｒｅｓｏｕｒｃｅ  ｂｌｏｃｋ）マッピングに決定する。一方、リソースブロックマッピング方法決定部２２４は、遅延スプレッド情報が"０"である場合には、リソースブロックのマッピング方法をローカライズドリソースブロック（ＬＲＢ：Ｌｏｃａｌｉｚｅｄ  ｒｅｓｏｕｒｃｅ  ｂｌｏｃｋ）マッピングに決定する。下り信号送信部２２５は、決定されたリソースブロックマッピング方法を下り信号２３１として移動局２１０に送信する。
【００３０】
次に、通信システム２００における各構成およびその動作について、図３〜図６を用いて説明する。
【００３１】
図３は、通信システム２００における移動局２１０の構成を示すブロック図である。移動局２１０は図２に示す各構成の他に、アンテナ３００と、サイクリックプレフィックス（ＣＰ：Ｃｙｃｌｉｃ  Ｐｒｅｆｉｘ）除去部３０１と、第１ＦＦＴ（Ｆａｓｔ  Ｆｏｕｒｉｅｒ  Ｔｒａｎｓｆｏｒｍ：高速フーリエ変換）計算部３０２とを有する。移動局２１０は、ＣＣＨ（以下、制御チャネル（ｃｏｎｔｒｏｌ  ｃｈａｎｎｅｌ））推定部３０３と、制御チャネル復調復号部３０４と、ＤＣＨ（以下、データチャネル（ｄａｔａ  ｃｈａｎｎｅｌ））復調復号部３０５と、第１符号化変調部３０６と、第２符号化変調部３０７と、信号多重部３０８とを有する。
【００３２】
移動局２１０の無線部２１１は、受信した下り信号２３１をＲＦ（Ｒａｄｉｏ  Ｆｒｅｑｕｅｎｃｙ）信号からベースバンド信号に変換し、ＣＰ除去部３０１に変換したベースバンド信号２１１ａを出力する。なお、無線部２１１において変換されたベースバンド信号は、基本的にサブフレームと呼ばれる一定の時間的長さのパケットを単位として処理される。
【００３３】
サイクリックプレフィックス除去部３０１は、ベースバンド信号２１１ａのＣＰ部分を除去した信号３０１ａを第１ＦＦＴ計算部３０２に出力する。第１ＦＦＴ計算部３０２は、入力された信号３０１ａについてＦＦＴ計算を行い、計算結果３０２ａを第１抽出部２１２に出力する。第１抽出部２１２は、入力された信号３０２ａから制御チャネル用の下りリファレンス信号（ＲＳ）２１２ａと、制御チャネル信号２１２ｂと、データチャネル用のＲＳ２１２ｃと、下りデータチャネル用チャネル信号２１２ｄとを抽出する。
【００３４】
制御チャネル推定部３０３は、入力された制御チャネル信号２１２ｂのチャネル推定値３０３ａを生成し、制御チャネル復調復号部３０４に出力する。制御チャネル復調復号部３０４は、入力された制御チャネル用の下りリファレンス信号（ＲＳ）２１２ａおよびチャネル推定値３０３ａを用いて制御チャネルの復調と復号を行う。そして、制御チャネル復調復号部３０４は、リソースブロックのマッピング方法がＬＲＢかＤＲＢかを判定した判定結果３０４ａを第１抽出部２１２に出力する。
【００３５】
第１抽出部２１２は、入力された判定結果３０４ａに基づいてデータチャネル用のＲＳ２１２ｃを抽出して、データチャネル復調復号部３０５に出力する。データチャネル復調復号部３０５は、入力されたデータチャネル用のＲＳ２１２ｃと、入力された下り制御情報３０４ｂと、算出部２１３の算出結果２１３ａとからデータチャネルを復調して復号を行ない、復号結果３０５ａを上位レイヤ３０９に出力する。
【００３６】
算出部２１３は、第１抽出部２１２から入力された下りデータチャネル用チャネル信号２１２ｄに基づいて、下り信号２３１の遅延スプレッドに生じた大小の変化を高速フーリエ変換（ＦＦＴ）により算出する。すなわち、算出部２１３は、下り信号の遅延スプレッドに生じた変化が、あらかじめ定められた電力Ｐｔｈ（図７）を超えており、さらに、遅延スプレッドが予め定められたＦＦＴポイント数としてＤｔｈより大きい場合（図６のＳ６１９）に、遅延スプレッドに生じた変化を算出する。そして、算出結果をデータチャネル復調復号部３０５および遅延スプレッド情報生成部２１４に出力する（２１３ａ、２１３ｂ）。
【００３７】
遅延スプレッド情報生成部２１４は、算出結果２１３ｂに基づいて遅延スプレッド情報を生成する。遅延スプレッド情報は１ビットからなる。遅延スプレッド情報生成部２１４は、電力がＰｔｈを超えるパスの遅延スプレッドがＦＦＴポイント数としてＤｔｈ以上である場合には"１"を、遅延スプレッドがＤｔｈ以下である場合には"０"を、第１符号化変調部３０６に出力する（２１４ａ、図６のＳ６２５）。
【００３８】
第１符号化変調部３０６は、遅延スプレッド情報に対して上りリンク伝送路のための誤り訂正符号を化して変調を行う。第２符号化変調部３０７は、上りリンクのデータチャネル３０９ａを上位レイヤ３０９から入力されると、符号化と変調を行い、信号多重部３０８に出力する（３０７ａ）。
【００３９】
信号多重部３０８は、第１符号化変調部３０６および第２符号化変調部３０７から入力された各信号（３０６ａ、３０７ａ）を、時間あるいは周波数方向に多重してベースバンド信号３０８ａとして無線部２１１に出力する。無線部２１１は、ベースバンド信号３０８ａをＲＦ信号に変換してアンテナ３００から基地局２２０に出力する。
【００４０】
図４は、基地局の構成を示すブロック図である。基地局２２０は、図２に示す各構成の他に、アンテナ４００と、上りチャネル推定部４０１と、第２復調復号部４０２と、下り符号化変調部４０３と、第２ＩＦＦＴ計算部４０４と、ＣＰ付加部４０５と、下り信号送信部２２５とを有する。
【００４１】
基地局２２０の上り信号受信部２２１は、受信した上り信号２３２をＲＦ信号からベースバンド信号２２１ａに変換し、第２抽出部２２２に出力する。第２抽出部２２２は、ベースバンド信号２２１ａから抽出した上りリンクＲＳ２２２ａを上りチャネル推定部４０１に出力し、上りデータチャネル信号２２２ｂを第２復調復号部４０２に出力し、遅延スプレッド情報２２２ｃを第１復調復号部２２３に出力する。
【００４２】
上りチャネル推定部４０１は、上りリンクＲＳ２２２ａに基づきチャネル推定計算を行い、チャネル推定値４０１ａを第１復調復号部２２３および第２復調復号部４０２に出力する。第２復調復号部４０２は、チャネル推定値４０１ａと、上りデータチャネル信号２２２ｂとを復調して復号を行い、得られた復号結果４０２ａを上位レイヤ４０６に出力する。
【００４３】
第１復調復号部２２３は、入力されたチャネル推定値４０１ａと、遅延スプレッド情報２２２ｃとを復調して復号を行なった遅延スプレッド情報を、リソースブロックマッピング方法決定部２２４に出力する（２２３ａ）。
【００４４】
一方、下り符号化変調部４０３は、上位レイヤ４０６から入力された下りリンクデータチャネルの情報４０６ａに符号化と変調を行ない、リソースブロックマッピング方法決定部２２４に出力する（４０３ａ）。リソースブロックマッピング方法決定部２２４は、第１復調復号部２２３から入力された遅延スプレッド情報が"０"である場合には、入力された信号４０３ａのリソースブロックマッピング方法を、ＬＲＢマッピング方法に決定する。一方、リソースブロックマッピング方法決定部２２４は、遅延スプレッド情報が"１"である場合には、入力された信号４０３ａのリソースブロックマッピング方法を、ＤＲＢマッピング方法に決定する。リソースブロックマッピング方法決定部２２４は、マッピングされた入力信号を第２ＩＦＦＴ計算部４０４に出力する（２２４ａ）。
【００４５】
第２ＩＦＦＴ計算部４０４は、入力された信号に対してＩＦＦＴ計算処理を行い、ＣＰ付加部４０５に出力する（４０４ａ）。ＣＰ付加部４０５は、ＩＦＦＴ計算処理を行なわれた信号を入力されると、ＣＰの付加を行って付加後の信号を下り信号送信部２２５に出力する（４０５ａ）。下り信号送信部２２５は、入力された信号をベースバンド信号からＲＦ信号に変換して、アンテナ４００から移動局２１０に出力する。
【００４６】
図５は、算出部２１３の構成を示すブロック図である。算出部２１３は、乗算部５０１と、ＲＳ信号生成部５０２と、第１ＩＦＦＴ計算部５０３と、ノイズパス除去部５０４と、二乗値計算部５０５と、第２ＦＦＴ計算部５０６とを有する。
【００４７】
算出部２１３は、下りデータチャネル用チャネル信号２１２ｄに基づいて、下り信号２３１の遅延スプレッドに生じた大小の変化を算出して、算出結果を遅延スプレッド情報生成部２１４と、データチャネル復調復号部３０５に出力する（２１３ａ、２１３ｂ）。
【００４８】
乗算部５０１は、入力された下りデータチャネル用チャネル信号２１２ｄと、入力された複素共役信号５０２ａとを第１ＩＦＦＴ（ｉｎｖｅｒｓｅ  ｆａｓｔ  ｆｏｕｒｉｅｒ  ｔｒａｎｓｆｏｒｍ）計算部５０３に出力する（５０１ａ）。第１ＩＦＦＴ計算部５０３は、ＩＦＦＴ計算を行ない、計算結果５０３ａをノイズパス除去部５０４と、二乗値計算部５０５とに出力する。二乗値計算部５０５は、ＩＦＦＴ出力のＮ＿ＦＦＴ個の値ｇ（ｔ）  （ｔ＝０，１，…，Ｎ＿ＦＦＴ−１）それぞれについて二乗値計算を行なう。そして、ＩＦＦＴ計算結果である｜ｇ（ｔ）｜＾２（ｔ＝０，１，…，Ｎ＿ＦＦＴ−１）（２１３ｂ）を、ノイズパス除去部５０４と遅延スプレッド情報生成部２１４とに出力する。なお、「＾」記号は二乗を表わし、「＾２」は「２の二乗」を表わす。
【００４９】
ノイズパス除去部５０４は、Ｎ＿ＦＦＴサンプルである二乗値計算部５０５の計算結果｜ｇ（ｔ）｜＾２（ｔ＝０，１，…，Ｎ＿ＦＦＴ−１）のうち、あらかじめ定めた閾値を下回った｜ｇ（ｔ）｜＾２のｔに対し、ｇ（ｔ）を"０"に直して第２ＦＦＴ計算部５０６に出力する。第２ＦＦＴ計算部５０６は、ＦＦＴ計算を行って計算結果２１３ａをデータチャネル復調復号部３０５に出力する。
【００５０】
図６は、遅延スプレッド情報生成部２１４の処理の流れを示すフローチャートである。ステップＳ６０１において、遅延スプレッド情報生成部２１４は、ＩＦＦＴ計算結果２１３ｂが入力されると四点の変数（ｔ、ｆｌａｇ、ｔ０、ｔ１）をリセットする。ここで、"ｔ"はサンプル番号を示す。"ｆｌａｇ"は、変数"０"か"１"を代入される。"ｔ０"は、処理中のサブフレームにおいて最初に｜ｇ（ｔ）｜＾２＞Ｐｔｈが成立したサンプル番号を示す。そして、"ｔ１"は、"ｔ０"以降のサンプル番号（ｔ）を代入されて、最終的には、処理中のサブフレームにおいて最後に｜ｇ（ｔ）｜＾２＞Ｐｔｈが成立したサンプル番号を示す。
【００５１】
遅延スプレッド情報生成部２１４は、ステップＳ６０３において、｜ｇ（ｔ）｜＾２の値と電力Ｐｔｈとの大小比較を行う。｜ｇ（ｔ）｜＾２の値が電力Ｐｔｈと比較して小さい場合には、ステップＳ６１１に進み、（ｔ）に１を加えた（ｔ＋１）を代入する。ステップＳ６１３において、（ｔ＋１）を代入された（ｔ）の値がＮ＿ＦＦＴ−１より小さい場合には、ステップＳ６０３に戻り、遅延スプレッド情報生成のための処理を繰り返す。
【００５２】
一方、遅延スプレッド情報生成部２１４は、ステップＳ６０３において、｜ｇ（ｔ）｜＾２の値が電力Ｐｔｈと比較して大きい場合には、ステップＳ６０５に進み、ｆｌａｇが"０"であるか判断する。現在処理中のサブフレームにおいて最初に｜ｇ（ｔ）｜＾２＞Ｐｔｈが成立した場合には、ｆｌａｇ＝０であるためステップＳ６０７に進み、（ｔ０）に現在処理中のサンプル番号（ｔ）を代入してｆｌａｇを"１"にしてステップＳ６１１に進む。一方、ステップＳ６０５において、ｆｌａｇが"０"でない場合、すなわち、処理中のサブフレームにおいて｜ｇ（ｔ）｜＾２＞Ｐｔｈが２回以上成立している場合には、ステップＳ６０９に進み、（ｔ１）に現在の（ｔ）を代入する。そして、ステップＳ６１１において、現在の（ｔ）に（ｔ＋１）を代入し、ステップＳ６１３に進む。
【００５３】
遅延スプレッド情報生成部２１４は、以上の動作をステップＳ６１３においてｔ＝Ｎ＿ＦＦＴ−１となるまで繰り返す。そして、ｔ＝Ｎ＿ＦＦＴ−１になった場合には、ステップＳ６１５に進み、遅延スプレッド情報生成部２１４は、Ｄに（ｔ１−ｔ０）を代入して、現在のサブフレームにおける電力Ｐｔｈを越えた左右両端のパスの差分"Ｄ"を得る。
【００５４】
ここで、図７を用いて、遅延スプレッド情報生成部２１４における遅延スプレッド情報生成のための処理について説明する。図７は、遅延スプレッド情報生成部２１４において行なわれる遅延スプレッドの計算処理に用いられるグラフを示す図である。このグラフは、横軸にＩＦＦＴの出力サンプル番号（ｔ）を表わし、縦軸に電力｜ｇ（ｔ）｜＾２を表わす。そして、遅延スプレッド情報生成部２１４は、電力の値が閾値Ｐｔｈを越えるパスの左右両端の間の幅（ｔ０〜ｔ１）Ｄを計算して、遅延スプレッドに生じた変化の大小を計算する。
【００５５】
図６のステップＳ６１７において、遅延スプレッド情報生成部２１４は、過去一定の範囲に遡るサブフレーム分の移動平均をＤ＿ａｖｅとして計算する。ステップＳ６１９において、遅延スプレッド情報生成部２１４は、算出したＤの移動平均値をＤ＿ａｖｅに代入する。そして、移動平均値Ｄ＿ａｖｅがあらかじめ定められた閾値Ｄｔｈより大きい場合には、遅延スプレッドに生じた変化が大きいことから、ステップＳ６２３に進み、遅延スプレッド情報生成部２１４は、ＤＲＢマッピング方法を選択すべきであると判断する。一方、遅延スプレッド情報生成部２１４は、ステップＳ６１９において、移動平均値Ｄ＿ａｖｅが閾値Ｄｔｈより小さい場合には遅延スプレッドに生じた変化が比較的小さいことから、ステップＳ６２１に進みＬＲＢマッピング方法を選択すべきと判断する。
【００５６】
ステップＳ６２５において、遅延スプレッド情報生成部２１４は、生成した遅延スプレッド情報２１４ａ（ＤＲＢマッピング方法またはＬＲＢマッピング方法）を第１符号化変調部３０６に出力する。
【００５７】
図８は、移動局２１０の処理の流れを示すフローチャートである。
【００５８】
ステップＳ８０１において、下り信号受信部２１１は、受信したＲＦ信号（下り信号）をベースバンド信号に変換し、ＣＰ除去部３０１に出力する（２１１ａ）。ステップＳ８０３において、ＣＰ除去部３０１は、入力されたベースバンド信号からサイクリックプレフィックス（ＣＰ）を除去する。ステップＳ８０５において、第１ＦＦＴ計算部３０２は、入力された下り信号についてＦＦＴ計算を行なう。ステップＳ８０７において、第１抽出部２１２は、入力された下り信号（ベースバンド信号）から、制御チャネル用の下りリファレンス信号（ＲＳ）２１２ａと、制御チャネル信号（２１２ｂ）とを抽出する。また、第１抽出部２１２は、下り信号（ベースバンド信号）から、データチャネル用のＲＳ（２１２ｃ）と、下りデータチャネル用チャネル信号（２１２ｄ）とを抽出する。
【００５９】
ステップＳ８１１において、第１抽出部２１２は、制御チャネル用の下りリファレンス信号（ＲＳ）（２１２ａ）を制御チャネル復調復号部３０４に出力する。ステップＳ８１３において、第１抽出部２１２は、制御チャネル信号（２１２ｂ）を制御チャネル推定部３０３に出力する。ステップＳ８１５において、第１抽出部２１２は、データチャネル用のＲＳ（２１２ｃ）をデータチャネル復調復号部３０５に出力する。ステップＳ８１７において、第１抽出部２１２は、下りデータチャネル用チャネル信号（２１２ｄ）を算出部２１３に出力する。
【００６０】
ステップＳ８１９において、制御チャネル推定部３０３は、入力された制御チャネル信号（２１２ｂ）から制御チャネル推定値を生成し、制御チャネル復調復号部３０４に出力する。ステップＳ８２１において、制御チャネル復調復号部３０４は、入力された制御チャネル用の下りリファレンス信号（ＲＳ）（２１２ａ）と、制御チャネル推定値（３０３ａ）とを復調して復号する。そして、制御チャネル復調復号部３０４は、第１抽出部２１２と、データチャネル復調復号部３０５とに出力する（３０４ａ、３０４ｂ）。ステップＳ８２３において、データチャネル復調復号部３０５は、入力されたデータチャネル用のＲＳ（２１２ｃ）と、制御情報（３０４ｂ）と、算出結果（２１３ａ）とを復調して復号し、上位レイヤに出力する（３０５ａ）。
【００６１】
ステップＳ８２５において、算出部２１３は、入力された下りデータチャネル用チャネル信号（２１２ｄ）に基づいて、チャネル推定値を計算してＩＦＦＴ計算結果を算出する。そして、算出結果をデータチャネル復調復号部３０５および遅延スプレッド情報生成部２１４に出力する（２１３ａ、２１３ｂ）。
【００６２】
ステップＳ８２７において、遅延スプレッド情報生成部２１４は、入力された算出結果（２１３ａ）に基づいて遅延スプレッド情報を生成し、第１符号化変調部３０６に出力する。ステップＳ８２９において、第１符号化変調部３０６は、入力された遅延スプレッド情報に対して誤り訂正符号化して変調を行なう（３０６ａ）。ステップＳ８２９において、第２符号化変調部３０７は、入力された上りリンクのデータチャネル３０９ａを符号化して変調を行なう（３０７ａ）。ステップＳ８３１において、信号多重部３０８は、入力された信号（３０６ａ、３０７ａ）を多重化して、無線部２１１に出力する（３０８ａ）。
【００６３】
図９は、基地局２２０の処理の流れを示すフローチャートである。
【００６４】
ステップＳ９０１において、上り信号受信部２２１は、受信したＲＦ信号（上り信号）をベースバンド信号に変換して、第２抽出部２２２に出力する（２２２ａ）。ステップＳ９０３において、第２抽出部２２２は、受信したベースバンド信号から上りリンクＲＳ（２２２ａ）と、上りデータチャネル信号（２２２ｂ）と、遅延スプレッド情報（２２２ｃ）とを抽出する。
【００６５】
ステップＳ９１１において、第２抽出部２２２は、上りリンクＲＳ（２２２ａ）を上りチャネル推定部に出力する。ステップＳ９１３において、第２抽出部２２２は、上りデータチャネル信号（２２２ｂ）を第２復調復号部４０２に出力する。ステップＳ９１５において、第２抽出部２２２は、遅延スプレッド情報（２２２ｃ）を第１復調復号部２２３に出力する。
【００６６】
ステップＳ９１７において、上りチャネル推定部４０１は、入力された上りリンクＲＳ（２２２ａ）に基づいてチャネル推定計算を行ない、チャネル推定値を第１復調復号部２２３および第２復調復号部４０２に出力する（４０１ａ）。ステップＳ９１９において、第２復調復号部４０２は、入力されたチャネル推定値（４０１ａ）と、上りデータチャネル信号（２２２ｂ）とを復調して復号し、上位レイヤに出力する（４０２ａ）。ステップＳ９２１において、下り符号化変調部４０３は、上位レイヤから入力された下りリンクデータチャネルの情報に符号化と変調を行ない、ステップＳ９２５においてリソースブロックマッピング方法決定部２２４に出力する（４０３ａ）。
【００６７】
一方、第１復調復号部２２３は、ステップＳ９２３において、入力されたチャネル推定値（４０１ａ）と、遅延スプレッド情報（２２２ｃ）との誤り訂正復号を行ない、リソースブロックマッピング方法決定部２２４に出力する（２２３ａ）。ステップＳ９２５において、リソースブロックマッピング方法決定部２２４は、入力された遅延スプレッド情報（２２３ａ）に基づいてリソースブロックのマッピング方法を、ＬＲＢマッピング方法またはＤＲＢマッピング方法を決定し、出力する（２２４ａ）。
【００６８】
ステップＳ９２７において、第２ＩＦＦＴ計算部４０４は、入力されたリソースブロックマッピング方法についての情報を含む信号にＩＦＦＴ計算処理を行ない、ＣＰ付加部４０５に出力する（４０４ａ）。ステップＳ９２９において、ＣＰ付加部４０５は、入力された信号に対してＣＰ付加を行ない、下り信号送信部２２５に出力する（４０５ａ）。ステップＳ９３１において、下り信号送信部２２５は、入力された信号（４０５ａ、ベースバンド信号）をＲＦ信号に変換してアンテナ４００から移動局２１０に出力する。
【００６９】
以上の構成および動作により、本実施形態によれば、リソースブロックのマッピング方法の切り換えを、遅延スプレッドの変化の大小を計算することに伴って高い精度で追従させることができ、高い通信品質を実現できる。
【００７０】
［他の実施形態］
以上、本発明の実施形態について詳述したが、それぞれの実施形態に含まれる別々の特徴を如何様に組み合わせたシステムまたは装置も、本発明の範疇に含まれる。
【００７１】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【００７２】
［実施形態の他の表現］
上記の実施形態の一部または全部は、以下の付記のようにも記載されうるが、以下には限られない。
【００７３】
（付記１）
移動局と基地局とを含む通信システムであって、
前記移動局は、
前記基地局から下り信号を受信する下り信号受信手段と、
受信した前記下り信号から下りリファレンス信号を抽出する第１抽出手段と、
抽出した前記下りリファレンス信号から前記下り信号の遅延スプレッドに生じた変化を算出する算出手段と、
算出した前記変化が、あらかじめ定められた閾値以上であるか否かを表わす遅延スプレッド情報を生成する遅延スプレッド情報生成手段と、
前記遅延スプレッド情報を上り信号として前記基地局に送信する上り信号送信手段と、
を有し、
前記基地局は、
前記上り信号を受信する上り信号受信手段と、
前記上り信号から前記遅延スプレッド情報を抽出する第２抽出手段と、
抽出した前記遅延スプレッド情報に基づいて、前記移動局に送信するリソースブロックのマッピング方法を決定するリソースブロックマッピング方法決定手段と、
を有することを特徴とする通信システム。
（付記２）
前記リソースブロックマッピング方法決定手段は、前記下り信号の遅延スプレッドに生じた変化が、あらかじめ定められた値以上の場合に、前記移動局に送信する前記リソースブロックをディストリビューティッドリソースブロック（ＤＲＢ：ｄｉｓｔｒｉｂｕｔｅｄ  ｒｅｓｏｕｒｃｅ  ｂｌｏｃｋ）マッピングに決定し、前記下り信号の遅延スプレッドに生じた変化があらかじめ定められた値以下である場合に、前記リソースブロックをローカライズドリソースブロック（ＬＲＢ：ｌｏｃａｌｉｚｅｄ  ｒｅｓｏｕｒｃｅ  ｂｌｏｃｋ）マッピングに決定することを特徴とする付記１に記載の通信システム。
（付記３）
前記移動局は、さらに、前記遅延スプレッド情報を前記上り信号として前記基地局に送信するために符号化して変調する符号化変調手段を有し、
前記基地局は、さらに、前記上り信号として送信された前記遅延スプレッド情報を復調して復号する復調復号手段を有することを特徴とする付記１または２のいずれか１項に記載の通信システム。
（付記４）
前記符号化変調手段は、さらに、前記遅延スプレッド情報を誤り訂正符号化して変調することを特徴とする付記３に記載の通信システム。
（付記５）
前記復調復号手段は、さらに、前記遅延スプレッド情報を誤り訂正復号することを特徴とする付記３に記載の通信システム。
（付記６）
前記算出手段は、前記下り信号の遅延スプレッドがあらかじめ定められた第１閾値以上であって、前記下り信号の遅延スプレッドを高速フーリエ変換（ＦＦＴ：ｆａｓｔ  ｆｏｕｒｉｅｒ  ｔｒａｎｓｆｏｒｍ）により計算した値があらかじめ定められた第２閾値以上である場合に、前記変化を算出することを特徴とする付記１乃至５のいずれか１項に記載の通信システム。
（付記７）
通信システムにおける通信方法であって、
移動局は、
基地局から下り信号を受信する下り信号受信ステップと、
受信した前記下り信号から下りデータチャネル信号を抽出する第１抽出ステップと、
抽出した前記下りデータチャネル信号から前記下り信号の遅延スプレッドに生じた変化を算出する算出ステップと、
算出した前記変化が、あらかじめ定められた閾値以上であるか否かを表わす遅延スプレッド情報を生成する遅延スプレッド情報生成ステップと、
前記遅延スプレッド情報を上り信号として前記基地局に送信する上り信号送信ステップと、
を備え、
前記基地局は、
前記上り信号を受信する上り信号受信ステップと、
前記上り信号から前記遅延スプレッド情報を抽出する第２抽出ステップと、
抽出した前記遅延スプレッド情報に基づいて、前記移動局に送信するリソースブロックのマッピング方法を決定するリソースブロックマッピング方法決定ステップと、
を備えることを特徴とする通信方法。
（付記８）
基地局から下り信号を受信する下り信号受信手段と、
受信した前記下り信号から下りリファレンス信号を抽出する第１抽出手段と、
抽出した前記下りリファレンス信号から前記下り信号の遅延スプレッドに生じた変化を算出する算出手段と、
算出した前記変化が、あらかじめ定められた閾値以上であるか否かを表わす遅延スプレッド情報を生成する遅延スプレッド情報生成手段と、
前記遅延スプレッド情報を上り信号として前記基地局に送信する上り信号送信手段と、
を有することを特徴とする移動局。
（付記９）
移動局から上り信号を受信する上り信号受信手段と、
前記上り信号から、下り信号の遅延スプレッドに生じた変化に基づいて前記移動局で生成された遅延スプレッド情報を抽出する第２抽出手段と、
前記抽出した前記遅延スプレッド情報に基づいて、前記移動局に送信するリソースブロックのマッピング方法を決定するリソースブロックマッピング方法決定手段と、
を有することを特徴とする基地局。
【図１】
2013012837.tif 000003
【図２】
2013012837.tif 000004
【図３】
2013012837.tif 000005
【図４】
2013012837.tif 000006
【図５】
2013012837.tif 000007
【図６】
2013012837.tif 000008
【図７】
2013012837.tif 000009
【図８】
2013012837.tif 000010
【図９】
2013012837.tif 000011